(57)【要約】【課題】剛性パイプラインと可撓性導管要素との間の流れに好都合な連結を構成して材料がこのような連結による悪影響を受けること無く可撓性導管要素のコンパクトな組込みを可能にする。【解決手段】本発明は、大径の剛性パイプライン（10）と可撓性導管要素（12）との連結構造に関し、この連結構造は、鋼製ニップル（14）の一端がパイプライン内に達し、他端が可撓性導管要素内に達することによって実現され、可撓性導管要素は、締付けリング（10ｃ）によってニップルに固定される。ニップルを受け入れるパイプラインの部分（10ｂ）の断面及び締付けリングの断面は、磁気パルス形状成形コイル（16）の作用を受けて減少し、パイプライン及びニップルは、同一の内径を有する。【選択図】図２
2008275168.tif 000002
【特許請求の範囲】
【請求項１】
大径の剛性ニップルによる大径の剛性パイプラインと可撓性導管要素との間の連結構造であって、前記ニップルは、その一端部が前記パイプライン内に達し、その反対側の端部が前記可撓性導管要素内に達し、前記可撓性導管要素が、締付けスリーブによって前記ニップルに固定されている、連結構造において、前記パイプライン（１０）は、大きさが前記ニップル（１４）の内径に一致した内径を有すると共に前記ニップルを受け入れる拡径部分（１０ｂ）を端部のところに有し、前記ニップルを受け入れる前記部分（１０ｂ）の付近の前記パイプラインと前記締付けスリーブ（１０ｃ，２０）の両方は、磁気パルス形状成形によって絞られてこれらの断面が減少している、連結構造。
【請求項２】
前記締付けスリーブ（２０）は、別個の部品として前記剛性パイプライン（１０）又は前記ニップル（１４）に接合されている、請求項１記載の連結構造。
【請求項３】
前記締付けスリーブ（１０ｃ）は、前記パイプライン（１０）の一部である、請求項１記載の連結構造。
【請求項４】
前記ニップル（１４）は、前記パイプライン（１０ｂ）に永続的に結合される、請求項１〜３のうちいずれか一に記載の連結構造。
【請求項５】
前記パイプライン（１０ｂ）と前記ニップル（１４）は、磁気パルス溶接されている、請求項４記載の連結構造。
【請求項６】
前記ニップル（１４）は、その外面に突起及び／又は凹み（１５，１７）を有する、請求項１〜５のうちいずれか一に記載の連結構造。
【請求項７】
軸方向変位を止める保護部（１７，２８）が、前記可撓性導管要素（１２）と前記ニップル（１４）及び／又は前記締付けスリーブ（１０ｃ，２０）との間に配置されている、請求項１〜６のうちいずれか一に記載の連結構造。
【請求項８】
少なくとも１つのシール（１８）が、前記可撓性導管要素（１２）と前記ニップル（１４）との間に配置されている、請求項１〜７のうちいずれか一に記載の連結構造。
【請求項９】
前記シール（１８）は、前記ニップル（１４）に設けられた半径方向円周方向凹部内に少なくとも部分的に挿入されている、請求項８記載の連結構造。
【請求項１０】
前記ニップルを受け入れる前記パイプライン（１０）の前記部分（１０ｂ）及び／又は前記可撓性導管要素（１２）を受け入れる前記締付けホース（１０ｃ，２０）の部分（１０ｃ）は、少なくとも前記パイプラインと同一の強度を備えた導電性材料で作られている追加の外側スリーブ（２４，２６）を有する、請求項１〜９のうちいずれか一に記載の連結構造。
【請求項１１】
ニップル（１４）によって大径の剛性パイプライン（１０）と可撓性導管要素（１２）を連結する方法であって、前記パイプラインの自由端部（１０ｂ）を拡径して前記可撓性導管要素（１２）に連結された前記ニップル（１４）を受け入れ、次に、前記ニップルを前記拡径部内に導入し、次に、前記パイプラインの拡径部分（１０ｂ）を磁気パルス形状成形によって圧着連結方式で前記ニップル（１４）上に同心状に成形する、方法。
【請求項１２】
前記ニップル（１４）上に部分的に押し進められた前記可撓性導管要素（１２）を前記剛性パイプライン（１０）又は前記ニップル（１４）に接合された締付けスリーブ（２０）によって前記ニップルに固定し、前記締付けスリーブ（２０）は、前記可撓性導管要素（１２）の外部を包囲し、前記締付けスリーブは、磁気パルス形状成形によって一様に絞られてその断面を減少して前記ニップルと前記締付けスリーブとの間に配置された前記可撓性導管要素を固定する、請求項１１記載の方法。
【請求項１３】
前記パイプラインの端部を第２段階（１０ｃ）で軸方向に拡径し、第２の外側拡径部は、前記ニップル（１４）及び前記ニップルの部分部分上に押し進められた前記可撓性導管要素（１２）を受け入れるのに適しており、前記第２の拡径部分（１０ｃ）を、次のステップで、別途行う磁気パルス形状成形によって前記ニップル（１４）上及び前記ニップルを包囲した前記可撓性導管要素（１２）上に圧着連結方式で成形する、請求項１１記載の方法。
【請求項１４】
２回の磁気パルス形状成形プロセスを対応した数のコイル（１６，１６ａ）によって単一ステップで実施する、請求項１１〜１３のうちいずれか一に記載の方法。
【請求項１５】
圧着連結構造が磁気パルス形状成形によって作られると予想される前記パイプライン（１０）の部分（１０ｂ，１０ｃ）は、少なくとも前記パイプラインと同じほど高い強度を備えた導電性金属のスリーブ（２４，２６）によって包囲される、請求項１１〜１４のうちいずれか一に記載の方法。
【発明の詳細な説明】
【技術分野】
【０００１】
本発明は、請求項１の前文の特徴を有する剛性パイプラインと可撓性導管要素との間の連結構造に関する。本発明は、更に、剛性パイプラインと可撓性導管要素との間のかかる連結構造を形成する方法に関する。
【背景技術】
【０００２】
上述した形式の連結構造は、例えば、スペース及び／又は重量に関する理由又は冷媒流体ラインに関する特定の性質に関する特定の要件上の理由で、異種材料の使用が必要な冷媒流体ラインに利用されている。金属材料は、可能ならば、伝統的な溶接又ははんだ付けによって互いに接合される。しかしながら、これは、溶接又ははんだ作用物質の残滓及び／又は高いエネルギー入力を必然的に伴い、更に、或る特定の材料又は材料の組み合わせには使用できない。フレキシブルホースを機械的圧着又は絞り締付けスリーブによって形状が安定したニップルに締結する場合があり、この場合、安定性があり且つ特に緊密な連結構造を達成するためにはプロセスの精度に関して非常に高い要望が存在する。
【０００３】
欧州特許第１５４，５８８（Ｂ１）号明細書から、パイプとパイプの（パイプ間）連結方式が知られており、これによれば、スリーブ及び締付けねじを介して接合された２本のパイプの取り外し可能な結合において、２本のパイプ相互間の連結をナットの締付けによって行う前に、表面接触により密封を行うためにガスケットを電磁形状成形方式によって１本のパイプにしっかりと接合する。
【０００４】
欧州特許第８４１，１０８（Ａ１）号明細書は、磁気パルス形状成形による金属製継手へのプラスチックジャケットを備えた金属パイプの連結方式を記載しており、この場合、継手は、パイプ内に達し、この継手は、その外部に設けられていて、パイプを変形しているときにパイプの内部にしっかりと接合可能な突起を有している。
【０００５】
かくして、上述の２つの特許文献は、パイプラインの接合において磁気パルス形状成形の利用可能性を示しているが、磁気パルス形状成形の利用によるパイプとホースの連結具合を向上させる可能性に関する手掛かりを与えてはいない。
【０００６】
米国特許第５，９６１，１５７号明細書は、ニップルによる剛性パイプラインと可撓性導管要素の相互連結を記載しており、パイプラインは、その末端部分が広げられている。ニップルは、端フェースのところに厚肉部分を有し、この厚肉部分は、拡張の開始時にパイプラインの肩に当接し、他方、拡張領域は、機械的に作られた波形折り曲げ部によってその断面が減少している。折り曲げに起因して得られる直径は、ニップルの厚肉部の直径よりも小さい。折り曲げ領域では、可撓性導管要素は、パイプラインとニップルとの間で絞られる。この形態の欠点は、個々の要素相互間の移行部のところの流れ直径が減少すること及びニップルとパイプラインとの間の緊密な連結が行われないということにある。
【０００７】
【特許文献１】欧州特許第１５４，５８８（Ｂ１）号明細書
【特許文献２】欧州特許第８４１，１０８（Ａ１）号明細書
【特許文献３】米国特許第５，９６１，１５７号明細書
【発明の開示】
【発明が解決しようとする課題】
【０００８】
公知の先行技術に鑑みて、本発明の基本的な課題は、剛性パイプラインと可撓性導管要素との間の連結の構造及び形成を組織化して材料がこの種の連結技術によって影響を受けないで可撓性導管要素のコンパクトな組込みが可能になるようにすることにある。
【課題を解決するための手段】
【０００９】
この課題は、請求項１の特徴記載部分に記載された構成によってこの種の連結構造について解決される。
【００１０】
この場合、剛性パイプラインと可撓性導管要素との間の連結は、ニップルによって行われ、このニップルは、パイプライン内に部分的に受け入れられると共に可撓性導管要素内に部分的に受け入れられ、それによりパイプラインと可撓性導管要素を互いに接合する。ニップルを受け入れているパイプラインの部分とニップルを可撓性導管要素に固定する締付けスリーブの両方が、磁気パルス形状成形によってこれらの断面が減少するよう絞られるのが良い。磁気パルス形状成形の影響下において、スリーブ状要素は互いに押圧されてこれら要素が大部分に関してこれらの周囲全体にわたり一様に且つ同心状にこれらの自由内径が減少し、かくして、半径方向内側に作用する力が及ぼされ、これにより、パイプラインの内部と締付けスリーブの内部がニップルの外周部に押し付けられてこれに当接して固定され、他方、可撓性導管要素は、締付けスリーブの内部とニップルとの間でクランプされて固定される。
【００１１】
締付けスリーブ及びこれに対応したパイプラインの部分の収縮は、磁気パルス形状成形の作用を受けた領域全体で生じる。パラメータ、例えば、電磁界の強度、被変形要素の肉厚及び変形に先立つ要素の内径の選択は、或る特定の圧縮力が加えられると被変形要素がニップル上に成形され、変形しているときのこれら要素が、ニップルの所定の輪郭に当ててそれ自体成形が行われることができるように行われる。ニップルは、成形のためのパイプライン及び／又は締付けスリーブの当接部を形成するので、ニップルは、少なくとも被変形コンポーネント（被変形構成要素）と同一の硬さを備えなければならない。また、締付けスリーブの強度は、被変形パイプライン部分の強度よりも高い。
【００１２】
磁気パルス形状成形が利用されると共にかかる磁気パルス形状成形方式により材料、寸法及び構造的形状の選択が可能になる状態で、パイプライン上に配置されたニップルを介してコンパクトでぴったりとしたホース配置が可能になるだけでなく、直径が可能な限り最小限に抑えられることにより、流体によって湿潤される流体導管要素の表面が最小限に抑えられ、かくして、これを通る流体の透過が最小限に抑えられる。具体的に言えば、本発明により、例えば対応した僅かな厚さを有する鋼製のニップルを別の金属、例えばアルミニウムで作られたパイプに接合することができる。
【００１３】
パイプラインは、大きさがニップルの内径に一致した内径を有すると共にニップルを受け入れる末端拡径部を有しているので、配管系の自由流れ断面の変化が存在しない。これにより、一方において、配管系中の騒音挙動が改善され、他方、この領域における圧力損失が可能な限り最も低くなる。
【００１４】
変形形態では、締付けスリーブは、パイプラインの一部であり、他方、パイプラインのこの第２の部分は、第１の部分に対して更に拡径されていて、ニップルが部分的に押し込まれる可撓性導管要素を受け入れるのに適した内径を有する。パイプラインの拡径は、可撓性導管要素を力を加えず又は変形を生じさせないで、拡張された部分内に押し込むことができるように選択される。
【００１５】
さらに、本発明の目的は、ニップルを軸方向シフトを止めると共に捩りを止める保護手段としてパイプラインに永続的に連結して連結後、ニップルをもはやこれを受け入れているパイプラインの部分内で動かすことができないようにすることにある。好ましくは、この連結構造部は接合されるが、この連結構造は、形状密着嵌合（form fit）又は摩擦嵌めであっても良い。
【００１６】
磁気パルス形状成形後に又はそれと同時に磁気パルスによってパイプラインとニップルを溶接してニップルの外部とパイプラインの内部との間に耐久性があって緊密であり、しかも外れない連結構造を形成することが特に推奨される。
【００１７】
この種の微小接触表面溶接方式では、溶接プロセスにより生じる構成要素の腐食脆弱度は、伝統的な溶接方法の場合よりも増大の程度は少ない。
【００１８】
有利には、ニップルは、その外面に突起及び／又は凹みを有し、かかる突起及び／又は凹みは、ニップルを受け入れるパイプライン部分と締付けスリーブ又は対応のパイプライン部分上の両方上へのニップルの配置状態を軸方向変位から保護する。軸方向固定は、パイプライン及び締付けスリーブを剛性ニップル上、かくして、ニップルの突起及び／又は凹み上にも磁気パルス形状成形により成形することにより得られる。
【００１９】
本発明の好ましい実施形態では、軸方向変位を止める保護手段も又、可撓性導管要素とニップルとの間及び／又は可撓性導管要素と締付けスリーブとの間に配置して磁気パルス形状成形後、例えば、冷媒配管系の稼働中、これら要素の分離を阻止する。また、保護手段を締付けスリーブ内に組み込むことができる。
【００２０】
さらに、シール、特に環状シールをニップルと可撓性導管要素との間に設けてこの接合表面のところでの配管系からの流体の漏れを阻止することも又推奨でき、更に有利には、シールは、ニップルに設けられた半径方向円周方向凹部内に少なくとも部分的に挿入され、可撓性導管要素をニップルに押し付け、シールをこれら２つの構成要素相互間で締め付けると、これら２つの構成要素間に軸方向にシールが形成される。
【００２１】
本発明にとって別の有利な補足例として、ニップルを受け入れるパイプラインの部分及び／又は可撓性導管要素を受け入れる締付けホースの部分に導電性の強固な材料で作られた追加の外側スリーブを設けることが提案される。
【００２２】
磁気パルス形状成形が作用するこの追加のスリーブが設けられた状態では、パイプラインにとって所望の形状成形度を達成するために、パイプライン及び締付けスリーブに対するその断面減少作用を向上させ、維持し、又は実際には、これらを交換することが可能である。
【００２３】
さらに、本発明の根底にある課題は、請求項１１記載の特徴を備えた方法によって解決される。先ず最初に、パイプラインの端部を拡径して大きさが非拡径状態のパイプラインと同一の内径を備えたニップルを受け入れるようにし、次に、磁気パルス形状成形の断面減少作用によってこれをパイプラインに固定する。磁気パルス形状成形による成形取り付けは、１つ又は２つ以上のステップで実施できる。
【００２４】
さらに、有利には、ニップル上に部分的に押し進められた可撓性導管要素を剛性パイプライン又はニップルに接合された締付けスリーブによってニップルに固定し、締付けスリーブは、可撓性導管要素の外部を包囲し、締付けスリーブは、磁気パルス形状成形によって一様に絞られてその断面を減少してニップルと締付けスリーブとの間に配置された可撓性導管要素を固定する。
【００２５】
連結構造を形成する方法を促進するため、更に有利には、数個の磁気コイルを同心状に且つ半径方向に間隔を置いて処理済みパイプライン部分を包囲した状態で同時に使用するのが良く、その目的は、パイプラインとスリーブの両方に磁気パルス形状成形を及ぼすことにある。
【００２６】
本発明の別の利点及び特徴は、例示としての実施形態についての以下の説明及び添付の図面から明らかになろう。
【発明を実施するための最良の形態】
【００２７】
図中、同一の構造的部品には、同一の参照符号がつけられている。
【００２８】
図１ａ〜図１ｃは、配管系における結合、具体的には、例えばホース１２として構成された可撓性導管要素へのアルミニウムパイプとして構成された剛性パイプライン１０の連結構造を示しており、フレキシブルホースは、例えばポリマーホースである。
【００２９】
アルミニウムパイプライン１０とポリマーホース１２との間で図１ａ〜図１ｃに示された連結は、配管系の２つの構成要素に連結されたステンレス鋼製のニップル１４を介して行われる。ニップル１４は、円筒形スリーブの形態をしており、この円筒形スリーブは、一端部としての部分がパイプライン１０内に達し、反対側の端としての部分がホース１２内に達している。
【００３０】
本発明のこの実施形態では、アルミニウムの剛性パイプライン１０とポリマーのフレキシブルホース１２との連結のためには他の構成要素は不要である。
【００３１】
ニップル１４とホース１２の両方は、パイプライン１０に受け入れられ、このパイプラインは、この目的のため、部分１０ａに対して拡径された部分１０ｂ，１０ｃを有し、この部分１０ａは、内径及び外径がパイプラインそれ自体の寸法に一致している。パイプラインの部分１０ｂ，１０ｃは、一度に１段階で拡径され、肉厚は、大きさが部分１０ａと同一である。部分１０ｂは、最初の拡径段階で、ニップル１４を受け入れてこれを固定するのに適しており、ニップルは、第２の拡径段階ではパイプラインの末端の部分１０ｃ内に配置され、部分１０ｂは、ニップル及びホース１２を受け入れるよう設計されていて、これらを包囲する。
【００３２】
図１ａから特に注目できるように、パイプライン１０の部分１０ｂの内径は、ニップル１４の外径よりも僅かに大きく、従って、部分１０ｂを単純な仕方で且つ部分１０ｂが階段状断面減少部を通って部分１０ａ内に入り、かくして非拡張状態のパイプライン１０の形態になるパイプラインの領域内に固着する恐れ無く押し進めることができる。この階段状移行部は、ニップル１４を導入する際に、ニップルが当接する定置部を形成する。
【００３３】
円筒形スリーブとして構成されたニップルの円の形としての内径は、理想的には、パイプライン１０の非拡径状態の部分１０ａの内径に一致し、従って、システム中を循環する流体は、ニップルの妨害物の無い通路を通ってパイプライン１０内に流入することができ、この場合、断面の変化部分又は階段状部分は、パイプライン中の対応の圧力産出及び／又は騒音放出をもたらす乱流を生じさせることはない。
【００３４】
図１ａ〜図１ｃに示すように、本発明の方法では、電磁コイル１６をパイプラインの被変形部分１０ｂ，１０ｃの付近に配置して導電性材料から成るパイプライン部分中に結果として生じる磁界によって渦電流を誘導し、その間、磁界中を流れている電流がパイプライン部分の内部に差し向けられる力を生じさせている。コイルは各々、被加工パイプライン部分に対して同心状に配置される。
【００３５】
この力の結果として、図１ｂ及び図１ｃに示すように磁気パルスによる形状成形の作用下において部分１０ｂ，１０ｃの断面減少変形が生じ、他方、２つの部分の形状成形が、連続して起こり、ホース１２は、パイプライン部分１０ｂの形状成形後、図１ｂに示すように今やパイプライン上にしっかりと配置されているニップル上に押し進められるだけである。部分１０ｃ，１０ｂ相互間の階段状移行部は、ホースをパイプラインの部分１０ｃ内に導入するとき、ホースの停止部を形成する。
【００３６】
図１ｂに示す変形中、磁気パルス形状成形だけでなく磁気パルス溶接も起こり、それにより、ステンレス鋼製ニップル１４をその捩り強度を向上させた状態でアルミニウム製パイプライン１０にしっかりと且つ分離不能に連結する。パイプライン部分１０ｂをニップル１４に少なくとも部分的に溶接することにより、これら２つの構成要素相互間の保持が、摩擦嵌めだけでなく結合嵌合又は形状密着嵌合によっても得られる。
【００３７】
特に、パイプライン１０へのニップル１４の結合による連結も又、この領域での流体の漏れに対する不透性を向上させる。
【００３８】
パイプラインの個々の部分相互間の移行部の付近で磁気パルス形状成形に起因して生じる変形の度合いは、大きくはない。というのは、これら移行部は、大部分が半径方向に延びるので変形を生じさせる力の方向においては比較的に大きな肉厚を有するからである。また、これら移行部は、それぞれの磁界の辺縁領域に位置する。
【００３９】
図示の実施形態のニップル１４は、軸方向に間隔を置いた２つの半径方向溝１４ａを有し、これらの半径方向溝の各々の中にはＯリング１８が挿入され、Ｏリングは、ホース１２とニップル１４との間のシールを形成し、かくして、軸方向に延びる支承面に沿う流体の漏れを阻止する。
【００４０】
パイプラインの変形部分１０ｃの作用を受けて、対応関係にあるホースの部分は、パイプラインの部分１０ｃとニップル１４との間でクランプされ、このようにしてホースクリップのように固定される。フレキシブルホースは又、その肉厚が圧縮されるが、この領域内における流体の自由流れ断面が悪影響を受けることはない。というのは、これは、この領域における全体として形状安定性鋼製ニップルの内径によって形成されるからである。
【００４１】
図２ａ及び図２ｂは、ニップル１４がホース１２及び２つの磁気パルスコイル１６，１６ａにあらかじめ組み付けられた状態で上述の結合が１回の作業工程だけでどのようにして起こるかを示している。ホース１２にあらかじめ組み付けられたニップル１４を、２つの段部の状態に拡径されたパイプライン１０の末端部分内に挿入し、部分１０ｂ，１０ｃを磁気パルスコイル１６，１６ａによって生じた渦電流場により変形させてこれらの断面を減少させる。
【００４２】
図３ａ〜図３ｄに示す本発明の変形実施形態では、ニップル１４を受け入れるパイプライン１０の端部のみを１工程で拡径してパイプラインの端部部分を形成するこの部分１０ｂ内にニップル１４を受け入れる。第１ステップでは、磁気パルスコイル１６は、先ず最初に、磁気パルス形状成形によりパイプライン１０のアルミニウムをニップル１４上に成形し、次に、コイルの選択に応じて、パイプラインを同時に又は次の工程で、磁気パルス形状成形によってニップルの精錬された鋼に連結するのが良い。
【００４３】
パイプライン１０へのニップル１４の締結後、ホース１２とホースを包囲した別個のクランプスリーブ２０とから成る予備組み立てユニットをパイプラインと対向してニップルの端部上に送り進め、コイル１６による磁気パルス形状成形の結果としてのプレス作業によってニップルに締結する。別個のクランプスリーブ２０は、回転対称であってカップの形状をしており、他方、カップ形状の底部２０ｂは、クランプスリーブの長さ方向軸線と同軸の開口部を有し、このクランプスリーブの底部をニップル１４上に送り進めることができる。この開口部の直径は、ニップル１４の外径よりもほんの僅かに大きく、従って、底部２０ａをその半径方向の向きの如何に関わらず、磁気パルス形状成形によりニップルに直接当接させてニップルに対するクランプスリーブの保持を増強させることができる。加うるに、変形したクランプスリーブ２０と形状安定性ニップル１４の外面との間におけるホース１２の圧着の結果としてのアクティブな連結及び形状密着嵌合が生じ、その結果、ホースの内面とニップル及びホースの外面とクランプスリーブの摩擦嵌めが生じる。上述した仕方で、密封リング１８をニップルとホースとの間に配置することができる。
【００４４】
クランプスリーブは又、部分２０ａにより最初の工程で従来方法によりニップル１４又はパイプライン部分１０ｂに接合することができ、次に、クランプスリーブ２０の断面減少磁気パルス形状成形に先立って、ホース１２をニップル１４とクランプスリーブとの間に送り進める。
【００４５】
本発明の別の変形実施形態が、図４ａ及び図４ｂに示されている。この変形例では、ニップル及びホースを受け入れるパイプライン１０の端部を２段階で拡径する。しかしながら、部分１０ｂ，１０ｃの変形を生じさせる渦電流場は、パイプラインそれ自体中には誘発されず、これとは異なり、変形されるべきパイプライン部分１０ｂ，１０ｃを包囲した別々のクランプスリーブ２４，２６中に誘発される。パイプライン部分１０ｂ，１０ｃの所望の変形は、クランプスリーブが変形され、これらが次に、パイプライン部分を変形させるようプレスのように働くので間接的に起こる。この変形構成は、パイプライン部分の特に高い変形度が必要であると共に（或いは）パイプラインがほんの僅かに導電性の材料から成る場合に特に有利である。配管系からの流体と接触しないクランプスリーブの材料は、変形性及び材料を同心状に包囲する本体への力の伝達の妥当性の基準によってのみ選択されるのが良い。クランプスリーブの唯一の機能は、ニップル１４をパイプライン１０とホース１２の両方上に配置するようパイプライン部分１０ｂ，１０ｃの所望の変形を実現することにある。
【００４６】
ニップル１４がアルミニウム又はこれに類似した展性材料で作られることが予想され、従って、それ自体断面が変形状態になることなくパイプライン及びクランプスリーブの変形のための当接部として働くに足りるほど強固ではない場合、ニップルは、少なくとも磁気パルスの作用下でパイプライン及び／又はクランプスリーブの成形により応力にさらされる領域でその内面に鋼又は別の耐変形性材料の内側スリーブ（図示せず）を備えるのが良い。ニップルのためのかかる内側補強スリーブは、例示の実施形態の全てに使用できる。
【００４７】
図５は、上述の例示の実施形態に類似したホース１２を示しており、このホースは、鋼製ニップル１４上へのクランプスリーブ２０の成形によって磁気パルス形状成形を介してこれら２つの要素相互間で締め付けられ、このようにして固定される。この例示の実施形態のニップル１４は、互いに対する個々の要素の軸方向変位を阻止する固定手段を有している。第１に、クランプスリーブ２０の底部２０ａは、軸方向に間隔を置いた突起によって、半径方向円周方向溝１５を備えたニップル上に固定され、更に、伝統的な接合方法によりニップルにしっかりと連結されるのが良い。第２に、ニップルは、ホースを通過させる突起１７を有し、この突起は、ホースがパルス形状成形によりクランプスリーブとニップルとの間で締め付けられると、ホースの引抜き方向に対して作用するフックを形成する。
【００４８】
別の軸方向固定手段として、ニップル及びホースの長さ方向に同心に配置されたリング２８が設けられ、このリングは、クランプスリーブ２０よりも硬質の材料、好ましくは鋼から成り、クランプスリーブとホースとの間に配置される。パルス形状成形中クランプスリーブを成形すると、ホースは、これと共にリング２８の付近で締め付けられ、クランプスリーブ２０は、硬質リング上に成形される。かくして、軸方向固定手段がクランプスリーブとホースとの間に形成され、フック１７と相互作用することによりニップル１４に対するこのユニットの軸方向固定手段も又形成され、この場合、リング２８は、フック１７の前又は後ろに引抜き方向に配置されるのが良い。
【００４９】
パルス成形後に一緒に締め付けられる半径方向円周方向密封リング２８も又、ホース１２とニップル１４との間に軸方向固定手段を形成する。
【００５０】
さらに、ホース１２は、その端部のところに肩１３の形態をした縮径部を有し、クランプスリーブ２０は、パルス形状成形の結果として縮径領域に当接し、クランプスリーブの端フェースは、導入方向にホースの肩１３のための停止部を形成する。
【００５１】
かくして、本発明によれば、剛性パイプラインと可撓性又はフレキシブルホースとの結合をこれら２つの構成要素を連結するニップルによって簡単且つ信頼性のある仕方で行うことができ、この場合、かかる連結は、構成要素の材料又は構造を損ない又は弱めることはない。本発明の設計は、流れ断面の変化が無く又は漏れが殆ど無い。
【図面の簡単な説明】
【００５２】
【図１】ａ〜ｃは、可撓性導管要素への剛性パイプラインの個々の連結ステップを縦断面図で示す図である。
【図２】ａ及びｂは、幾つかの部分があらかじめ組み立てられた状態の図１ａ〜ｃに示す連結構造を示す図である。
【図３】ａ〜ｄは、図２ａ及び図２ｂに示す連結構造の変形実施形態を示す図である。
【図４】ａ及びｂは、磁気パルス形状成形の作用効果を増強するために追加の外側スリーブを備えた状態の図１ａ〜１ｃに示す連結構造を示す図である。
【図５】追加の軸方向固定手段によるニップル上への締付けスリーブの配置状態を示す図である。
【符号の説明】
【００５３】
１０  剛性パイプライン
１０ｃ  締付けスリーブ
１２  可撓性導管要素又はフレキシブルホース
１４鋼製ニップル
１６  形状成形コイル
１７  フック
１８  密封リング
２４，２６  スリーブ
２８  リング
【図１】
2008275168.tif 000003
【図２】
2008275168.tif 000004
【図３】
2008275168.tif 000005
【図４】
2008275168.tif 000006
【図５】
2008275168.tif 000007
【外国語明細書】
2008275168.tif 000008
2008275168.tif 000009
2008275168.tif 000010
2008275168.tif 000011
2008275168.tif 000012
2008275168.tif 000013
2008275168.tif 000014
2008275168.tif 000015
2008275168.tif 000016
2008275168.tif 000017
2008275168.tif 000018
2008275168.tif 000019
2008275168.tif 000020
2008275168.tif 000021